(57)【要約】【課題】植込み可能なポンプ装置を提供する。【解決手段】植込み可能なポンプ装置は、ポンプ・モータ、ロータ、インペラ、及びモータ巻線を取り囲んでいる植込み可能なポンプ本体と、ポンプ本体の中に取り囲まれている電力及び制御装置モジュールであって、ポンプ・モータを動作させるためのモータ巻線に連結された第１の電力電子機器回路構成、及びポンプ・モータを制御するように適合された第１の制御回路構成を含む電力及び制御装置モジュールと、電力及び制御装置モジュールに連結された経皮ケーブルであって、植込み可能なポンプ装置に電力を提供し、電力及び制御装置モジュールと体外モニタとの間で情報及び／又は制御信号をやりとりするように適合された２本の共用リード線を含む経皮ケーブルとを備える。【選択図】図１
2020058861.tif 000002
【特許請求の範囲】
【請求項１】
植込み可能なポンプ装置であって、
ポンプ・モータ、ロータ、インペラ、及びモータ巻線を取り囲んでいる植込み可能なポンプ本体と、
前記ポンプ本体の中に取り囲まれている電力及び制御装置モジュールであって、前記ポンプ・モータを動作させるための前記モータ巻線に連結された第１の電力電子機器回路構成、及び前記ポンプ・モータを制御するように適合された第１の制御回路構成を含む電力及び制御装置モジュールと、
前記電力及び制御装置モジュールに連結された経皮ケーブルであって、前記植込み可能なポンプ装置に電力を提供し、前記電力及び制御装置モジュールと体外モニタとの間で情報及び／又は制御信号をやりとりするように適合された２本の共用リード線を含む経皮ケーブルと
を備える、植込み可能なポンプ装置。
【請求項２】
前記経皮ケーブルが、前記２本の共用リード線以外に追加的なリード線を含まない、請求項１に記載のポンプ装置。
【請求項３】
前記体外モニタが、高周波数搬送波信号を前記２本の共用リード線上で電力信号上に重ね合わせるように適合され、前記高周波数搬送波信号が、前記情報及び／又は制御信号を含むように変調される、請求項１に記載のポンプ装置。
【請求項４】
前記ポンプ・モータは、三相電気モータを備える、請求項１に記載のポンプ装置。
【請求項５】
前記ポンプ本体の中に磁気ベアリングを更に含み、
前記電力及び制御装置モジュールが、前記磁気ベアリングに電力を供給するように適合された第２の電力電子機器回路構成、及び前記磁気ベアリングを制御するように適合された第２の制御回路構成を含む、請求項１に記載のポンプ装置。
【請求項６】
前記経皮ケーブルが、前記ポンプ・モータ及び／又は前記磁気ベアリングを駆動するために前記植込み可能なポンプ装置に電力を提供するための前記２本の共用リード線のみを備える、請求項５に記載のポンプ装置。
【請求項７】
前記経皮ケーブルが、前記２本の共用リード線以外に追加的なリード線を含まない、請求項５に記載のポンプ装置。
【請求項８】
前記体外モニタが、高周波数搬送波信号を前記２本の共用リード線上で電力信号上に重ね合わせるように適合され、前記高周波数搬送波信号が、前記情報及び／又は制御信号を含むように変調される、請求項５に記載のポンプ装置。
【請求項９】
植込み可能なポンプ装置であって、
ポンプ・モータ、ロータ、インペラ、及びモータ巻線を取り囲んでいる植込み可能なポンプ本体と、
前記ポンプ本体の中に取り囲まれている電力及び制御装置モジュールであって、前記ポンプ・モータを動作させるための前記モータ巻線に連結された第１の電力電子機器回路構成、前記ポンプ・モータを制御するように適合された第１の制御回路構成、及び体外モニタの中の第２の無線通信回路構成との無線通信用に適合された前記植込み可能なポンプ本体の中の第１の無線通信回路構成を含む電力及び制御装置モジュールと、
前記電力及び制御装置モジュールに連結された経皮ケーブルであって、前記植込み可能なポンプ装置に電力を提供するように適合された２本の電力リード線を含む経皮ケーブルと
を備える、植込み可能なポンプ装置。
【請求項１０】
前記経皮ケーブルが、前記２本の電力リード線以外の追加的なリード線を含まない、請求項９に記載のポンプ装置。
【請求項１１】
前記ポンプ本体の中に磁気ベアリングを更に含み、
前記電力及び制御装置モジュールが、前記ポンプ本体の中に取り囲まれ、前記磁気ベアリングに電力を供給するように適合された第２の電力電子機器回路構成、及び前記磁気ベアリングを制御するように適合された第２の制御回路構成を含む、請求項９に記載のポンプ装置。
【請求項１２】
前記経皮ケーブルが、前記２本の電力リード線以外の追加的なリード線を含まない、請求項１１に記載のポンプ装置。
【請求項１３】
植込み可能なポンプ装置であって、
ポンプ・モータ、ロータ、インペラ、及びモータ巻線を取り囲んでいる植込み可能なポンプ本体と、
前記ポンプ本体の中に取り囲まれている電力及び制御装置モジュールであって、前記ポンプ・モータを動作させるための前記モータ巻線に連結された第１の電力電子機器回路構成、及び前記ポンプ・モータを制御するように適合された第１の制御回路構成を含む電力及び制御装置モジュールと、
前記電力及び制御装置モジュールに連結された経皮ケーブルであって、前記植込み可能なポンプ装置に電力を提供するように適合された２本の電力リード線、及び前記電力及び制御装置モジュールと体外モニタとの間で情報及び／又は制御信号をやりとりするように適合された信号リード線を含む経皮ケーブルと
を備える、植込み可能なポンプ装置。
【請求項１４】
前記経皮ケーブルが、前記２本の電力リード線及び前記信号リード線のみを含み、他のいかなるリード線も含まない、請求項１３に記載のポンプ装置。
【請求項１５】
前記ポンプ本体の中に磁気ベアリングを更に含み、
前記電力及び制御装置モジュールが、前記ポンプ本体の中に取り囲まれ、前記磁気ベアリングに電力を供給するように適合された第２の電力電子機器回路構成、及び前記磁気ベアリングを制御するように適合された第２の制御回路構成を含む、請求項１３に記載のポンプ装置。
【請求項１６】
前記経皮ケーブルが、前記２本の電力リード線及び前記信号リード線のみを含み、他のいかなるリード線も含まない、請求項１５に記載のポンプ装置。
【請求項１７】
ポンプ・モータ、ロータ、インペラ、モータ巻線、及び磁気ベアリングを取り囲んでいる植込み可能なポンプ本体と、
前記ポンプ本体の中に取り囲まれている電力及び制御装置モジュールであって、前記ポンプ・モータを動作させるための前記モータ巻線に連結された第１の電力電子機器回路構成、前記磁気ベアリングに電力を供給するように適合された第２の電力電子機器回路構成、並びに前記ポンプ・モータ及び前記磁気ベアリングを制御するようにそれぞれ適合された第１及び第２の制御回路構成を含む電力及び制御装置モジュールと、
前記電力及び制御装置モジュールに連結された経皮ケーブルであって、前記植込み可能なポンプ本体の外側と内側との間で情報及び／又は制御信号をやりとりするように適合された信号リード線を含む経皮ケーブルと
を備える、植込み可能なポンプ装置。
【請求項１８】
ポンプ・モータ、ロータ、インペラ、及びモータ巻線を取り囲んでいる植込み可能なポンプ本体と、
前記ポンプ本体の中に取り囲まれている電力及び制御装置モジュールであって、前記ポンプ・モータを動作させるための前記モータ巻線に連結された第１の電力電子機器回路構成を含む電力及び制御装置モジュールと、
前記電力及び制御装置モジュールに連結された経皮ケーブルと、
前記経皮ケーブルに連結された体外モニタと、
前記体外モニタに連結された電源と
を備える、植込み可能なポンプ装置。
【請求項１９】
前記体外モニタが、電力管理モジュールと、通信モジュールとを備える、請求項１８に記載のポンプ装置。
【請求項２０】
前記体外モニタの中の第２の無線通信回路構成との無線通信用に適合されている、前記植込み可能なポンプ本体の中に配置された第１の無線通信回路構成を更に備える、請求項１９に記載のポンプ装置。
【発明の詳細な説明】
【技術分野】
【０００１】
本開示は、植込み可能な補助人工心臓（Ｖｅｎｔｒｉｃｕｌａｒ  Ａｓｓｉｓｔ  Ｄｅｖｉｃｅ：ＶＡＤ）に関し、より詳細には、ＶＡＤの中の統合された制御及び電力回路構成に関する。
【背景技術】
【０００２】
補助人工心臓（ＶＡＤ）は、血液ポンプを含み、血液ポンプは、血行不足及び心臓病を患う患者を助けるのに使用される。ＶＡＤは、患者の体に植え込まれて、心臓を補助して、血行の改善を提供することができる。植え込まれたＶＡＤは、患者の体外に位置付けられた電源によって電力を供給され得る。電力は、経皮的ケーブルを介して電源から植え込まれたＶＡＤに伝送される。
【０００３】
植え込まれたＶＡＤは、電子構成要素によって給電され、制御される。温度変化が、大幅に減らされ得るように、このような電子構成要素を人体の内部に設置することが更に望ましい。更に、人体内部にこのような電子構成要素を設置することは、ケーブル内部のリード線の数の減少を容易にする。これにより、ケーブルの大きさは縮小され、ケーブルが、摩耗、疲労、及び患者によるケーブルの誤った取扱いによる他の損傷を受けるときにシステムの信頼性を改善するのに役立つ。ケーブルは、環境からの電磁障害に曝されるけれども、人体内部の電子機器は、電磁障害に曝されないので、ケーブルのリード線の数を減らす更なる利点は、電磁適合性を向上させることである。
【０００４】
ＶＡＤの中の従来型の血液ポンプは、ブラシレス直流（Ｄｉｒｅｃｔ  Ｃｕｒｒｅｎｔ：ＤＣ）三相モータ、又は交流（Ａｌｔｅｒｎａｔｉｎｇ  Ｃｕｒｒｅｎｔ：ＡＣ）型三相モータなどの１つ又は複数の三相電気モータによって駆動される。モータの巻線は、電力電子機器から電流を受け取る。従来型の慣例では、電力電子機器は、血液ポンプの外部に構成され、したがって、ポンプ・モータの三相に対応する少なくとも３本のリード線（ワイヤ）が、ポンプ外部の電力電子機器とポンプ内部のモータ巻線とを接続するのに経皮的ケーブルの中で使用される。
【０００５】
幾つかの従来型ＶＡＤは、ロータ用磁気浮上方式（すなわち磁気ベアリング）を用いるポンプ・ロータ構成を含む。磁気浮上システムは、ロータの１つ又は複数の自由度を安定化させるために使用される。自由度ごとに、フィードバック・ループは、ロータの位置を検出するセンサと、センサから信号を受け取り、次いで高度な信号処理を経て制御信号を発生させる制御装置と、制御信号のコマンドに従って電流を発生させる電力電子機器装置とを組み込んでいる。次いで、電流が、磁気ベアリングの巻線の中に流れ込んで、ロータ上に磁気力を作り出す。
【０００６】
従来方式では、制御装置及び電力電子機器は共に、血液ポンプの外部に設置される。経皮的ケーブルの中の追加的なリード線を使用して、位置センサ信号をポンプ内部からポンプ外部の制御装置へ送る。経皮的ケーブルの中の追加的なリード線を使用して、ポンプ外部の電力電子機器をポンプ内部の磁気ベアリング巻線に接続する。ということは、ロータの１つの自由度を、磁気ベアリングによって安定化させる場合には、少なくとも４本のリード線が必要とされることを意味する。２つ以上の自由度を、磁気ベアリングによって能動的に制御する場合には、更に多くのリード線が必要とされる。
【発明の概要】
【発明が解決しようとする課題】
【０００７】
ＶＡＤの使用は、経皮ケーブルが皮膚を貫通する部位での感染のリスクなど、ある種のリスクに患者を曝すことを伴う。感染のリスクを減らすためには、できるだけ、小型で可撓性を有する経皮ケーブルを有することが望ましい。したがって、経皮ケーブル内部のリード線の数を減らすことが望まれる。
【課題を解決するための手段】
【０００８】
保護されるように求められている主題の理解を促進するために、その実施例が、添付図面に例示されており、後続の説明と関連付けて考慮するときに、実施例を精査することで、保護するように求められている主題、その構造及び動作、及びその利点の多くが容易に理解されて認識されるはずである。
【図面の簡単な説明】
【０００９】
【図１】本開示の１つの態様による、経皮ケーブルを備える植込み可能な血液ポンプの説明図である。
【図２】本開示の１つの態様による、経皮ケーブルと、統合された電力電子機器及び制御装置構成要素とを備える植込み可能なポンプの説明図である。
【図３】本開示の１つの態様による、経皮ケーブル内部の４本のリード線だけで実装された、統合された電力電子機器及び制御装置を備える植込み可能な、磁気的に浮上させられる血液ポンプの図式的ブロック図である。
【図４】本開示の１つの態様による、経皮ケーブル内部の２本のリード線だけで実装された、統合された電力電子機器及び制御装置を備える植込み可能な、磁気的に浮上させられる血液ポンプの図式的ブロック図である。
【図５】本開示の１つの態様による、外部モニタと統合制御装置との間の無線通信と組み合わせて、経皮ケーブル内部の２本のリード線で実装された、統合された電力電子機器及び制御装置を備える植込み可能な、磁気的に浮上させられる血液ポンプの図式的ブロック図である。
【図６】本開示の１つの態様による、経皮ケーブル内部の４本のリード線だけで実装された、モータ用の統合された電力電子機器及び制御装置を備える植込み可能な血液ポンプの図式的ブロック図である。
【図７】本開示の１つの態様による、経皮ケーブル内部の２本のリード線で実装された、モータ用の統合された電力電子機器及び制御装置を備える植込み可能な血液ポンプの図式的ブロック図である。
【図８】本開示の１つの態様による、外部モニタと統合制御装置との間の無線通信と組み合わせて、経皮ケーブル内部の２本のリード線だけで実装された、モータ用の統合された電力電子機器及び制御装置を備える植込み可能な血液ポンプの図式的ブロック図である。
【図９】本開示の１つの態様による、経皮ケーブル内部の２本のリード線で実装された、モータ用の統合電力電子機器を備える植込み可能な血液ポンプの図式的ブロック図である。
【発明を実施するための形態】
【００１０】
当業者が本開示の範囲に含まれる提案を変更することが可能なように、注記に含まれるコメント、並びにそこで検討される材料、寸法、及び公差は、単なる提案であることを理解されたい。
【００１１】
本開示の態様は、多くのさまざまな形状をした実施例を含むが、本出願は、開示の原理の例証とみなされるべきであり、開示の幅広い態様を例示した実施例に限定することを意図していないという理解の下で、開示の好適な実施例を図で示しており、本明細書で詳細に説明してゆく。
【００１２】
以下の詳細な説明は、開示の例示的実施例を実行するのに、現下で最善の想定されるモードのものである。説明は、限定的にとられるべきではなく、開示の範囲が、添付の特許請求の範囲によって最善に定義されるので、開示の一般的原理を例示するためのものにすぎない。
【００１３】
これより、それぞれ互いに独立して、又は他の特徴と組み合わせて使用することができるさまざまな発明の特徴を説明する。しかしながら、いずれか１つの発明の特徴が、上記課題のあらゆるものに対処しなくてもよい、又は上記課題の１つに対処するにすぎなくてもよい。更に、上記課題の１つ又は複数は、後述する特徴のあらゆるものによって十分に対処されなくてもよい。
【００１４】
本開示の態様によれば、補助人工心臓（ＶＡＤ）用小型ポンプは、統合された電力電子機器及び制御装置回路構成を含む。統合された電力電子機器及び制御装置回路構成を備える開示されたＶＡＤポンプは、患者の心臓に直接的に隣接した心膜空間に完全に植え込むことができる。
【００１５】
図１を参照すると、本開示の１つの態様によるＶＡＤは、ポンプ用電力電子機器及び制御回路構成が、共通のポンプ本体１０２の中に組み込まれた植込み可能なポンプ装置１００を含む。ポンプ本体１０２は、ポンプのインペラと、モータ及び磁気ベアリングを駆動、制御するための電力電子機器及び制御回路構成と共にモータのロータ及び磁気ベアリングを含むモータとを取り囲んでいる。
【００１６】
植込み可能なポンプ装置１００は、入口１１０から出口１１２へ血液を運ぶ。経皮ケーブル１０４の近位端部は、貫通接続部１０６でポンプ本体１０２の中に延びており、ポンプが動作するための電力信号及び制御信号を送給する。経皮ケーブル１０４の遠位端部は、体外モニタに接続するための（図３を参照）、体外モニタ・コネクタ１０８を含む。貫通接続部１０６は、ポンプの中へ液体又は空気が漏れるのを防止しながら、電流がポンプ装置１００の中に流れることを可能にする。
【００１７】
本開示の１つの態様による図２を参照すると、ポンプ装置１００は、ポンプ・ハウジング１１４の中に構成されるロータ及びインペラ組立体１１８を含む。ポンプ・ハウジング１１４は、ポンプ・モータが設置されており、ポンプ本体１０２の中間部を形成する。ポンプ入口１１０を含むポンプ本体１０２の最上部分は、ポンプ・ハウジングに連結される。ポンプ本体１０２の底部分は、ケーシング１１６を含み、ケーシング１１６は、ポンプ入口１１０に向かい合うポンプ・ハウジング１１４に連結される。ロータ及びインペラ組立体１１８は、インペラに連結されたロータを含む。ロータは、ポンプ・ハウジング１１４内部の電気モータ固定子（図示せず）によって駆動される。ロータは、機械式ベアリング、流体ベアリング、又は磁気ベアリングを用いて浮上させられ得る。磁気ベアリングを含む実施では、磁気的に作動する構成要素（図示せず）が、ポンプ・ハウジング１１４の内部に取り付けられる。そのような作動構成要素は、それらが磁性材料でできた磁極上に巻き付けられた電気巻線を備えているという点で、電気モータ固定子に類似している。これらの巻線の電流は、磁場を作り出し、結果的にロータ上に及ぼされる磁力を引き起こす。電流の方向及び大きさを能動的に制御することによって、ロータが、磁場で安定化するように、ロータ上の磁気力が、連続的に調節される。能動的制御は、電力電子機器及び制御回路を含むフィードバック制御システムによって提供される。従来型の配置では、モータ及び磁気ベアリングの両方のための電力電子機器及び制御装置は、嵩高であり、ポンプの外側に設置されなければならず、通常、体外モニタの中に取り付けられる（図３参照）。本開示の態様によれば、小型化されたＩＣチップの先端技術を利用することによって、電力電子機器及び制御装置は、植込み可能な血液ポンプの内部に取り付けられるように十分小さく作られる。
【００１８】
本開示の１つの態様によれば、例えばプリント回路基板などの電子機器モジュール１２０は、ポンプ・ハウジング１１４とケーシング１１６との間のポンプ本体１０２の底部分の中に取り囲まれる。電子機器モジュールは、ポンプ・モータ及び磁気ベアリングを動作させるように構成された電力回路構成及び制御回路構成を含み、経皮ケーブル１０４に連結される。
【００１９】
本開示の１つの態様によるＶＡＤを、図３を参照しながら説明する。開示のこの態様によれば、ロータ及びインペラ組立体１１８は、磁気的に浮上させられ、ロータ及びモータ巻線１３２を含む電気モータによって回転駆動される。モータは、例えば三相ブラシレス直流モータ又は三相交流モータでもよい。モータ用の電力電子機器及び制御回路構成１４０は、電子機器モジュール１２０上に構築される。図示した実施例では、ポンプ内部のモータ制御回路構成１４０は、マイクロコントローラ又はデジタル信号処理装置を含むことができる。モータ制御回路構成１４０は、センサレス制御スキームを用いて、ロータ／インペラ組立体１１８を回転させるパルス幅変調（Ｐｕｌｓｅ  Ｗｉｄｔｈ  Ｍｏｄｕｌａｔｅｄ：ＰＷＭ）信号でモータ巻線１３２を駆動する。
【００２０】
磁気ベアリングは、能動的制御を通じてロータの１つ又は複数の自由度を安定化させる。制御下の自由度ごとに、渦電流変位センサなどの、１つ又は複数のセンサ１３６は、ロータの位置を検出する。磁気浮上方式（磁気浮上）制御回路構成１４２は、センサ信号を受け取って処理し、磁気浮上電力電子機器に適用されるコマンド信号を生成する。この信号は、電流を磁気ベアリングの巻線１３４に向けるように、電力電子機器を制御する。磁気ベアリング用の電力電子機器及び制御装置が、電子モジュール１２０上に更に構築される。図示した実施例では、磁気浮上制御回路構成１４２は、磁気ベアリング（磁気浮上）センサ１３６からアナログ位置信号を受け取って、それらをデジタル信号に変換するアナログ・デジタル（Ａｎａｌｏｇ  ｔｏ  Ｄｉｇｉｔａｌ：Ａ／Ｄ）変換器を含む。次いで、デジタル信号を使用して、能動的磁気ベアリング制御を提供してロータを浮上させる磁気浮上巻線１３４を駆動するためにＰＷＭ信号を作り出す。更に、一般に当業者によって使用される磁気ベアリングをフィードバック制御するための他の制御策が、適用されてもよい。
【００２１】
電力電子機器及び制御装置モジュール１２０は、体外モニタ１２２から電力及びある種の制御コマンドを受け取る。体外モニタ１２２は、電力管理回路構成１２４を含み、電力管理回路構成１２４は、電源１２８から電力を受け取る。電源１２８は、充電式電池、交流又は他の種類の電源を含むことができる。電力管理回路構成１２４は、ポンプ本体内部の電力電子機器及び制御装置モジュール１２０に電力を供給する。モータ及び磁気ベアリング制御の全機能は、電力電子機器及び制御装置モジュール１２０で実行されるので、電力管理回路構成１２４は、電子モジュール１２０に電力を供給すること以外に何らかの追加機能を果たす必要はない。したがって、この実施では、電力線の役割を果たすのに、経皮ケーブル１０４内の１対のリード線だけが使用される。
【００２２】
体外モニタ１２２は、ポンプ内部の電子モジュール１２０においてモータ制御装置及び／又は磁気ベアリング制御装置と情報をやりとりする通信回路構成１２６を更に含む。通信回路構成１２６は、ポンプ速度を設定及び変更するなど、モータ及び／又は磁気ベアリングの動作状態を設定するためのトップ・レベル・コマンドを提供する。更に、通信回路構成１２６は、例えばモータ及び磁気ベアリングのポンプ速度及び電流などの、受け取った動作状態に基づき診断機能を果たす。更に、通信回路構成１２６は、プログラムコードを電子モジュール１２０の中のモータ制御装置及び／又は磁気ベアリング制御装置にロードするのに使用され得る。通信回路構成１２６の全てのそのような機能は、マイクロプロセッサをある種の周辺電子回路と組み合わせて使用することで実現することができる。したがって、通信回路構成１２６と電子機器モジュール１２０とを接続するためのシリアル通信を実施することが適切であり、これに必要なのは、経皮ケーブル１０４の中の２本のリード線だけである。したがって、開示の１つの態様によれば、この実施は、経皮ケーブル内部の４本のリード線１２５だけ、一方の対は電力線、他方の対はシリアル通信、を使用して行われる。
【００２３】
図４は、図３の実施例の変形例を示し、体外モニタ１２２の中の通信回路構成１２６とポンプ内部の電力電子機器／制御装置モジュール１２０との間の通信信号は、高周波数搬送波信号によって変調され、経皮ケーブル１０４の中の電力リード線１２５の上に重ね合わされる。変調及び復調回路は、体外モニタ１２２とポンプ内部の電力電子機器／制御装置モジュール１２０との間に接続されて、必要とされる通信を提供することができる。開示の１つの態様によれば、この実施は、電力信号及び通信信号の両方を搬送するのに経皮ケーブル内部の２本のリード線だけを使用して行われる。
【００２４】
図５は、体外モニタ１２２の通信回路構成１２６が、無線接続１２７を介してポンプ内部の電力電子機器／制御装置モジュール１２０と通信するように構成されていることを除いて、図４に示した実施例に類似した、本開示の１つの実施例を示す。開示の１つの態様によれば、この実施は、電力供給を提供するために、経皮ケーブル内部の２本のリード線１２５だけを使用して行われる。
【００２５】
本開示の別の態様では、図６は、図３〜図５に示したポンプとは異なる植込み可能な血液ポンプを示す。図６に示す実施では、ポンプ・ロータは、磁気ベアリングとは別の手段で浮上させられており、したがって、磁気ベアリング電子機器は、含まれていない。ポンプは、電気モータによって同様に回転駆動される。したがって、電力電子機器／制御装置モジュール１２０は、モータ用の電力電子機器及び制御回路構成１４０だけを含有する。開示の１つの態様によれば、この実施は、２本のリード線が、通信信号を提供し、２本のリード線が、電力線の機能を果たす経皮ケーブル内部の４本のリード線１２５だけを使用して行われる。
【００２６】
本開示の１つの態様によれば、図７は、磁気ベアリングを有していない植込み可能な血液ポンプを示す。この実施では、体外モニタ１２２の中の通信回路構成１２６とポンプ内部の電力電子機器／制御装置モジュール１２０との間の通信信号は、高周波数搬送波信号によって変調され、経皮ケーブル１０４の中の電力リード線１２５の上に重ね合わされる。変調及び復調回路は、体外モニタ１２２とポンプ内部の電力電子機器／制御装置モジュール１２０との間に接続されて、必要とされる通信を提供することができる。開示の１つの態様によれば、この実施は、電力信号及び通信信号の両方を搬送するのに経皮ケーブル内部の２本のリード線だけを使用して行われる。
【００２７】
本開示の１つの態様によれば、図８は、磁気ベアリングを有していない植込み可能な血液ポンプを示す。この実施例は、無線接続１２７が、外部モニタ１２２とポンプ内部の電力電子機器及び制御モジュール１２０との間の通信で使用される、図５に示した実施例に類似している。経皮ケーブルは、体外モニタからポンプ内部の統合モータ制御装置へ電力を提供する２本のリード線だけを有している。開示の１つの態様によれば、この実施は、電力供給を提供するために、経皮ケーブル内部の２本のリード線だけを使用して行われる。
【００２８】
図９は、ポンプ・モータがポンプの外部との通信を必要としない本開示の１つの態様による別の実施例を示す。モータ電力電子機器及び制御回路構成１４０は、経皮ケーブルの中の電力線１２５を介して体外モニタ１２２の電力管理モジュール１２４から電力を受け取る。モータ電力電子機器及び制御回路構成１４０は、電力を使用して、モータ巻線１３２の中に整流された三相電流を生じさせ、ロータ及びインペラ組立体１１８を駆動する。外部からのコマンド又は他の情報は、モータがそのような方法で作動するのに必要でない。したがって、本実施例では、体外モニタ１２２の中に通信回路構成は必要ではない。開示の１つの態様によれば、この実施は、電力信号を提供するために、経皮ケーブル内部の２本のリード線１２５だけを使用して行われる。
【００２９】
本明細書で使用される場合、「連結される」又は「伝達可能に連結される」という用語は、直接的又は間接的な、２つの関係部分の間での何らかの物理的、電気的、磁気的、又は他の接続を意味することができる。「連結される」という用語は、２つの存在物の間の決まった直接的な連結に限定されない。前述の説明及び添付の図面に記載した事項は、単なる例証として、限定するものとしてではなく提供されている。特定の実施例が図と共に説明されてきたが、出願人の貢献のより幅広い態様から逸脱しない範囲で、変形及び変更を加えることができることは、当業者にとって明らかであろう。求められる保護の実際の範囲は、従来技術に基づくそれらの適切な観点で見る場合に、以下の特許請求の範囲において定義されるように意図されている。
【図１】
2020058861.tif 000003
【図２】
2020058861.tif 000004
【図３】
2020058861.tif 000005
【図４】
2020058861.tif 000006
【図５】
2020058861.tif 000007
【図６】
2020058861.tif 000008
【図７】
2020058861.tif 000009
【図８】
2020058861.tif 000010
【図９】
2020058861.tif 000011
【手続補正書】
【提出日】令和2年2月4日(2020.2.4)
【手続補正１】
【補正対象書類名】特許請求の範囲
【補正対象項目名】全文
【補正方法】変更
【補正の内容】
【特許請求の範囲】
【請求項１】
植込み可能なポンプ装置であって、
ポンプ・モータ、ロータ、インペラ、及びモータ巻線を取り囲んでいる植込み可能なポンプ本体と、
前記ポンプ本体の中に取り囲まれている電力及び制御装置モジュールであって、前記ポンプ・モータを動作させるための前記モータ巻線に連結された第１の電力電子機器回路構成、及び前記ポンプ・モータを制御するように適合された第１の制御回路構成を含む電力及び制御装置モジュールと、
前記電力及び制御装置モジュールに連結された経皮ケーブルであって、前記経皮ケーブルは、前記植込み可能なポンプ装置に電力を提供し、前記電力及び制御装置モジュールと体外モニタとの間で情報及び／又は制御信号をやりとりするように適合されたリード線を含み、前記リード線は、前記植込み可能なポンプ装置に電力を提供するように適合された２本のリード線を含み、電力を提供するように適合された追加的なリード線を含まない、経皮ケーブルと
を備える、植込み可能なポンプ装置。
【請求項２】
前記体外モニタが、高周波数搬送波信号を前記２本のリード線上で電力信号上に重ね合わせるように適合され、前記高周波数搬送波信号が、前記情報及び／又は制御信号を含むように変調される、請求項１に記載のポンプ装置。
【請求項３】
前記ポンプ・モータは、三相電気モータを備える、請求項１に記載のポンプ装置。
【請求項４】
前記ポンプ本体の中に磁気ベアリングを更に含み、
前記電力及び制御装置モジュールが、前記磁気ベアリングに電力を供給するように構成された第２の電力電子機器回路構成、及び前記磁気ベアリングを制御するように適合された第２の制御回路構成を含む、請求項１に記載のポンプ装置。
【請求項５】
前記ポンプ・モータは、三相電気モータを含む、請求項４に記載のポンプ装置。
【請求項６】
前記体外モニタが、高周波数搬送波信号を前記２本のリード線上で電力信号上に重ね合わせるように適合され、前記高周波数搬送波信号が、前記情報及び／又は制御信号を含むように変調される、請求項４に記載のポンプ装置。
【請求項７】
植込み可能なポンプ装置であって、
ポンプ・モータ、ロータ、インペラ、及びモータ巻線を取り囲んでいる植込み可能なポンプ本体と、
前記ポンプ本体の中に取り囲まれている電力及び制御装置モジュールであって、前記ポンプ・モータを動作させるための前記モータ巻線に連結された第１の電力電子機器回路構成、前記ポンプ・モータを制御するように適合された第１の制御回路構成、及び体外モニタの中の第２の無線通信回路構成との無線通信用に適合された前記植込み可能なポンプ本体の中の第１の無線通信回路構成を含む電力及び制御装置モジュールと、
前記電力及び制御装置モジュールに連結された経皮ケーブルであって、前記植込み可能なポンプ装置に電力を提供するように適合された２本のリード線を含み、電力を提供するように適合された追加的なリード線を含まない経皮ケーブルと
を備える、植込み可能なポンプ装置。
【請求項８】
前記ポンプ・モータは、三相電気モータを含む、請求項７に記載のポンプ装置。
【請求項９】
前記ポンプ本体の中に磁気ベアリングを更に含み、
前記電力及び制御装置モジュールが、前記ポンプ本体の中に取り囲まれ、前記磁気ベアリングに電力を供給するように適合された第２の電力電子機器回路構成、及び前記磁気ベアリングを制御するように適合された第２の制御回路構成を含む、請求項７に記載のポンプ装置。
【請求項１０】
前記リード線は、前記電力及び制御装置モジュールと前記体外モニタとの間で前記情報及び／又は制御信号の少なくとも第１の部分をやりとりするように適合された信号リード線を更に含む、請求項１に記載のポンプ装置。
【請求項１１】
前記ポンプ本体の中に磁気ベアリングを更に含み、
前記電力及び制御装置モジュールが、前記ポンプ本体の中に取り囲まれ、前記磁気ベアリングに電力を供給するように適合された第２の電力電子機器回路構成、及び前記磁気ベアリングを制御するように適合された第２の制御回路構成を含む、請求項１０に記載のポンプ装置。
【請求項１２】
前記体外モニタが、高周波数搬送波信号を前記２本のリード線上で電力信号上に重ね合わせるように適合され、前記高周波数搬送波信号が、前記情報及び／又は制御信号の少なくとも第２の部分を含むように変調される、請求項１０に記載のポンプ装置。
【請求項１３】
前記体外モニタが、高周波数搬送波信号を前記２本のリード線上で電力信号上に重ね合わせるように適合され、前記高周波数搬送波信号が、前記情報及び／又は制御信号の少なくとも第２の部分を含むように変調される、請求項１１に記載のポンプ装置。
【請求項１４】
前記ポンプ・モータは、三相電気モータを含む、請求項１０に記載のポンプ装置。
【請求項１５】
前記ポンプ・モータは、三相電気モータを含む、請求項１１に記載のポンプ装置。